(57)【要約】【課題】振動を検出して画像処理装置の制御状態を変更させても生産性を低下させることが無く、外部から入力される画像データに対応する。【解決手段】振動検出部８２が振動を検出すると振動レベル判別部９０で振動のレベルを判別し、レベルに応じて画像処理装置の制御の状態を変更する。振動レベル１と判別された場合は、画像データを記憶させるパスを画像記憶部（ＨＤＤ）６２からＲＡＭ７６へ変更する。振動レベル１よりも大きな振動は、振動レベル２と判別され、制御を節電Ｓｌｅｅｐモードと呼ばれる主要な部分の電力供給を停止する制御の状態へ移行する。また、振動レベル判別部９０は、制御の状態を変更した後にも再度振動レベルを判別する。再度判別された振動レベルが、はじめに判別した振動レベルと異なればその再度判別した振動レベルに応じて制御状態を変更する。振動が収束したと判断された場合は、制御を定常状態へ復帰させる。【選択図】図３
2007158599.tif 000002
【特許請求の範囲】
【請求項１】
原稿画像を読み取って画像データを生成する画像読取装置と、前記画像読取装置で読み取った画像データまたは外部入力の画像データの少なくとも一方に基づいて記録用紙に画像を形成する画像形成装置と、を備えた画像処理装置であって、
前記画像読取装置または前記画像形成装置の少なくとも一方の振動を検出し、前記振動に応じた信号を出力する振動検出手段と、
前記振動検出手段から出力される信号に基づいて振動レベルを判別する振動レベル判別手段と、
前記振動レベル判別手段によって判別された前記振動レベルに応じて前記画像読取装置または前記画像形成装置の少なくとも一方の制御状態を変更する振動時制御手段と、
前記振動レベル判別手段による判別結果が所定のレベル以下になった場合に前記振動時制御手段により変更した制御状態を復帰させる復帰制御手段と、
を有することを特徴とする画像処理装置。
【請求項２】
前記振動レベル判別手段は、前記振動が発生していると判別した後に振動検出手段から出力される信号に基づいて振動レベルを再度判別することを特徴とする請求項１に記載の画像処理装置。
【請求項３】
前記振動時制御手段は、前記振動レベル判別手段が所定のレベルの振動をレベル１の信号として出力した場合に前記画像データを保存するデータパスを磁気型画像記憶手段から半導体記憶手段へ切り替え、前記振動レベル判別手段がレベル１よりも強い振動を示すレベル２の信号を出力した場合に前記画像読取装置または前記画像形成装置の少なくとも一方を節電状態へ移行させることを特徴とする請求項１又は請求項２に記載の画像処理装置。
【請求項４】
前記振動時制御手段は、前記制御状態を変更した所定時間後に、前記振動レベル判別手段によって振動レベルを判別することを特徴とする請求項１乃至請求項３の何れか１項記載の画像処理装置。
【請求項５】
前記所定時間は可変に設定されることを特徴とする請求項４記載の画像処理装置。
【請求項６】
前記復帰制御手段は、前記振動時制御手段が前記制御状態を変更した所定時間後に振動が収束したと判断された場合に、前記節電状態から復帰させることを特徴とする請求項１乃至請求項５の何れか１項記載の画像処理装置。
【発明の詳細な説明】
【技術分野】
【０００１】
本発明は、画像データを電子データとして取り込み保存した上で、当該電子データを記録用紙に印字する画像処理装置に関するものである。
【背景技術】
【０００２】
プリンタ機能、複写機能、ファクシミリ機能等を有するいわゆる複合機において、地震等による大きな振動は、振動に弱い機械部品や熱を発する部品を用いているため、誤動作や出力される印刷物の画質に多大な影響を及す可能性がある。
【０００３】
振動に弱い機械部品として代表的なものは、取り込んだ電子データを保存するために一般的に用いられているＨＤＤ（ハードディスクドライブ）である。これは金属に磁性体を塗布した円盤状の磁気ディスクをモーターにより高速回転させ、磁気ディスク表面に磁気ヘッドを近づけて電子データの書き込み、読み出しを行っている。高速でモーターを回転させている上に、磁気ディスクと磁気ヘッドの距離は１０ナノメートル程度と近接している。
【０００４】
また、熱を発生させる部品とは、レーザープリンタに用いられる定着器が代表的なものである。定着器は一対のロールで構成され、その間に記録用紙を挟持し押し出すことで当該記録用紙に加圧、加熱することでトナーを記録用紙に定着させるようになっている。一対のロールのうち一方のロールは中空とされ、その中に熱源であるハロゲンランプを備えている。
【０００５】
ところで、従来技術として、画像処理装置に振動を検出する振動検出手段を取り付け、振動検出手段が振動を検出したときに制御の状態を変更するものが開示されている（特許文献１）。この特許文献１では、振動検出手段から出力されるレベルが、ある一定以上のしきい値に達したと判断した場合に、画像処理装置の制御状態を変更している。特許文献１の実施例では一定以上のしきい値になったらコピーシーケンスを一時停止させ、しきい値以下になったら再開させるようにし、別の実施例では一定以上のしきい値になったら画像処理装置を停止させている。
【０００６】
また、出力レベルに応じて画像処理装置の制御方法を分けるということが提案されている（特許文献２参照）。この特許文献２では、振動のレベルが弱い場合は画像処理装置を一時停止させ、その後再開させる。一方、振動のレベルが強い場合は画像処理装置を停止させるようにしている。これにより熱源による過熱等の不具合を回避することができる。
【特許文献１】特開平８−１４６８４３号公報
【特許文献２】特開２０００−１９８９５号公報
【発明の開示】
【発明が解決しようとする課題】
【０００７】
しかしながら、振動検出手段が振動を検出し画像処理装置を一時停止させるにしても全停止させるにしても、その後定常状態へ復帰するまでの間画像処理を行わないため生産性が低下する。さらに、ＦＡＸ受信などの外部からの入力を受け付けることができなくなる。
【０００８】
本発明は上記事実を考慮し、振動検出手段が振動を検出して画像処理装置の制御状態を変更させても生産性を低下させることが無く、外部から入力される画像データに対応することができる画像処理装置を得ることが目的である。
【課題を解決するための手段】
【０００９】
本発明は、原稿画像を読み取って画像データを生成する画像読取装置と、前記画像読取装置で読み取った画像データまたは外部入力の画像データの少なくとも一方に基づいて記録用紙に画像を形成する画像形成装置と、を備えた画像処理装置であって、前記画像読取装置または前記画像形成装置の少なくとも一方の振動を検出し、前記振動に応じた信号を出力する振動検出手段と、前記振動検出手段から出力される信号に基づいて振動レベルを判別する振動レベル判別手段と、前記振動レベル判別手段によって判別された前記振動レベルに応じて前記画像読取装置または前記画像形成装置の少なくとも一方の制御状態を変更する振動時制御手段と、前記振動レベル判別手段による判別結果が所定のレベル以下になった場合に前記振動時制御手段により変更した制御状態を復帰させる復帰制御手段と、を有することを特徴とする。
【００１０】
本発明によれば、例えば外部からの振動を振動検出手段によって検出し、振動レベル判別手段で振動レベルを複数段階に判別する。それに応じて振動時制御手段で画像処理装置の制御状態を変更させ、変更後の判別結果によっては復帰制御手段で復帰させる。
【００１１】
本発明において、前記振動レベル判別手段は、前記振動が発生していると判別した後に振動検出手段から出力される信号に基づいて振動レベルを再度判別することを特徴とする。
【００１２】
振動レベル判別手段は振動が発生していると判別したとき、時間をおいて再び振動のレベルを判別する。このため振動時制御手段は二度の判別結果を総合的に考慮し、画像処理装置を最適な制御状態にすることができる。
【００１３】
また、本発明は、請求項１または請求項２の発明において、前記振動時制御手段は、前記振動レベル判別手段が所定のレベルの振動をレベル１の信号として出力した場合に前記画像データを保存するデータパスを磁気型画像記憶手段から半導体記憶手段へ切り替え、前記振動レベル判別手段がレベル１よりも強い振動を示すレベル２の信号を出力した場合に前記画像読取装置または前記画像形成装置の少なくとも一方を節電状態へ移行させることを特徴とする。
【００１４】
振動レベル判別手段は振動を、例えば振動の強弱を示すレベル１または２として出力する。振動時制御手段はそのレベルを示す信号を受け取り、画像処理装置をそれぞれの振動レベルに対応した制御状態にする。
【００１５】
さらに、本発明は、請求項１乃至請求項３の何れか1項の発明において、前記振動時制御手段は、前記制御状態を変更した所定時間後に、前記振動レベル判別手段によって振動レベルを判別することを特徴とする。
【００１６】
制御状態を変更した後も振動検出手段並びに振動レベル判別手段は動作を続ける。そして、制御状態を変更した所定時間後に再度振動レベルを判別する。その結果を振動時制御手段は受け取り、それに応じて再び制御状態を変更する。
【００１７】
また、本発明は、請求項４の発明において、前記所定時間は可変に設定されることを特徴とする。
【００１８】
制御状態を変更した後の再度の振動レベルの判別を行うまでの所定時間は、ユーザーが任意で設定でき振動時対策の幅を広げることができる。
【００１９】
さらに、本発明は、請求項１乃至請求項５の何れか1項の発明において、前記復帰制御手段は、前記振動時制御手段が前記制御状態を変更した所定時間後に振動が収束したと判断された場合に、前記節電状態から復帰させることを特徴とする。
【００２０】
画像処理装置が節電状態へ移行した所定時間後に振動時制御手段は振動レベル判別部から信号を受け取る。その結果、振動時制御手段が振動は収束したと判断したとき、復帰制御手段は画像処理装置の節電状態を解除し復帰させる。
【発明の効果】
【００２１】
以上説明した如く本発明では、振動検出手段が振動を検出して画像処理装置の制御状態を変更させても生産性を低下させることが無いようにし、たとえ制御状態を変更してもその後、制御状態を復帰させることで外部入力される画像データに対応できるという優れた効果を有する。
【発明を実施するための最良の形態】
【００２２】
図１には、本実施の形態に係る画像処理装置１０が示されている。
【００２３】
画像処理装置１０は、原稿画像を読み取って画像データを生成する画像読取装置１２と、前記画像読取装置１２並びに図示しない外部Ｉ／Ｆを介して外部ＰＣやＦＡＸによって入力された画像データに基づいて画像を形成する画像形成装置１４で構成されている。
【００２４】
画像読取装置１２は、原稿１６を載置する透明な原稿台１８を備えている。原稿台１８の下側には空間があり、原稿１６の表面に記されている画像を読み取るための走査機構が設けられている。すなわち、第１の移動走査機構として原稿台１８の下には原稿１６の表面に向けて光を照射するランプ２０と、原稿１６の表面で反射した反射光を受ける第１反射ミラー２２とがある。また、第２の移動走査機構として、第１反射ミラー２２で受けた反射光の進行方向を９０°曲げるための第２反射ミラー２４と、さらに進行方向を９０°曲げるための第３反射ミラー２６とが備えられている。第１の移動走査機構並びに第２の移動走査機構により、原稿から反射された光はレンズ３８を介してＣＣＤ（Ｃｈａｒｇｅ  Ｃｏｕｐｌｅｄ  Ｄｅｖｉｃｅ）ラインセンサー３０に案内される構成である。ＣＣＤラインセンサー３０は画像処理部３２に接続され、画像処理部３２は上記各部を制御する画像読取制御部３４に接続されている。
【００２５】
画像形成装置１４は、図１の時計回り（図１の矢印Ａ方向）に回転してその表面に、前記画像読取装置１２または外部Ｉ／Ｆを介して入力された画像データを可視画像として形成する感光体ドラム３６を備えている。感光体ドラム３６の表面へ画像を形成する工程における最上流側には、感光体ドラム３６の表面上を帯電させる帯電ロール３８がある。そして、感光体ドラム３６の上方には、レーザー光を走査することで感光体ドラム３６の表面に、静電潜像として画像を形成する光走査装置４０が備えられている。画像を形成する部分の下流側には、図示しないトナーカートリッジから送られてくるトナーを攪拌して帯電させる現像器４２と、帯電したトナーを静電潜像に吸着させる現像ロール４４とが備えられている。図１に示す感光体ドラム３６の最下部には、静電潜像に吸着したトナーを記録用紙４６に搬送させながら転写させる転写体４８がある。トナーが転写された記録用紙４６の搬送先には上下２本のロールを有し、圧力と中空となっている上部のロール内にあるハロゲンランプの熱とでトナーを記録用紙４６に定着させる定着器５０が備えられている。そして、帯電ロール３８の手前には、感光体ドラム３６に残存するトナーを除去するためのクリーナー５２がある。
【００２６】
次に、図２を参照して、画像処理装置１０の制御系の要部構成を説明する。
【００２７】
画像処理装置１０は、画像読取装置１２の各部を制御する画像読取制御部３４を有している。画像読取制御部３４は、原稿１６に記録された画像を電子データとして読みとり、システムバス７０を介して、ＤＭＡ転送（Ｄｉｒｅｃｔ  Ｍｅｍｏｒｙ  Ａｃｃｅｓｓ）により、磁気型画像記憶手段である画像記憶部（ＨＤＤ）６２に記憶される。また、外部Ｉ／Ｆを介して外部ＰＣやＦＡＸ受信によって入力された画像データは、外部画像データ入力部６０から同様に画像記憶部（ＨＤＤ）６２へ送られる。画像記憶部（ＨＤＤ）６２に記憶された画像データは、画像形成の対象となる画像データを１ページ単位で記憶するページＲＡＭ６４へ適宜出力される。さらに画像処理装置１０には、画像の形成を行うための制御信号を発する画像形成コントローラ６６と、画像処理装置の制御状態を変更させる画像処理制御部６８とを有している。
【００２８】
画像処理制御部６８には、振動検出手段としての加速度センサーを有する振動検出部８２が接続されている。加速度センサーは質量にかかる慣性力から加速度を検出し、その加速度を振動としてとらえる。加速度センサーには、転動可能な球体が振動により慣性力を与えられその変動を電極でとらえて振動を検出するものや、圧電素子を用いた圧電型加速度センサーや、固定電極と可動電極の２極間の静電容量の変化を検出する静電容量型加速度センサーなどがある。
【００２９】
そして、画像処理装置１０は、これらの各部を、システムバス７０を介して制御するＣＰＵ７２を備えている。ＣＰＵ７２は、各部を制御するためのコマンド信号等を、読み出し専用の半導体記憶装置であるＲＯＭ７４から読み出している。また、ＣＰＵ７０は、ＲＯＭ７４と同様に半導体記憶装置であるが、電子データの読み出しと書き込みとが自由に行える半導体記憶手段であるＲＡＭ７６も用いて画像処理装置１０を制御している。その他に、画像処理装置１０は、ユーザーが画像処理装置１０を操作するためのインターフェースとなる操作／表示部７８や、画像処理装置１０が備えている各部分への電力供給を制御している電源制御部８０を備え、これらもシステムバス７０に接続している。
【００３０】
次に、図３を参照して、図２に示した画像処理制御部６８の詳細を説明する。
【００３１】
画像処理制御部６８は、振動レベル判別手段としての振動レベル判別部９０を備え、この振動レベル判別部９０で振動検出部８２からの振動検出信号を受け取る。振動レベル判別部９０は、振動のレベルを０、１、２のいずれかに判別する。なお、この振動レベル０、１，２の大きさについては後述するが、振動レベル０は最も小さい振動の範囲を示し、振動レベル２は最も大きい振動の範囲を示す。
【００３２】
振動レベル判別部９０は、振動レベル０の信号を受ける定常時制御部９２と接続されている。そして定常時制御部９２は電源制御部８０と接続している。また、振動レベル判別部９０は、振動レベル１並びに振動レベル２の信号を受け、振動時制御手段としての振動時制御部９４に接続している。振動時制御部９４は、受け取った振動レベルに応じて画像データを記憶するパスを切り替える画像記憶パス切り替え部９８と電源制御部８０とに接続している。また、振動時制御部９４は、制御の状態を変更した後振動が収束したと判断された場合に、制御状態を復帰させる復帰制御手段である復帰制御部９６と接続している。前記復帰制御部９６は電源制御部８０に接続している。電源制御部８０は定常時制御部９２、振動時制御部９４、復帰制御部９６から入力された信号に基づいて操作／表示部７８、駆動部１００、定着器５０の電力供給に関する制御を行う。
【００３３】
上記構成とした本実施の形態において、振動検出部８２は振動を検出することで振動レベル判別部９０へ検出信号を送信し、振動レベル判別部９０において振動のレベルの判別を実行する。その判別された振動のレベルに応じて振動時制御部９４は、以下のように画像処理装置１０の制御の状態を変更する。
【００３４】
（Ａ−１）振動レベル判別部９０が振動をレベル０と判別した場合、定常時制御部９２は電源制御部８０に定常運転を維持する信号を送信する。
【００３５】
（Ａ−２）振動レベル判別部９０が振動レベルを１と判別した場合、振動時制御部９４は画像記憶パス切り替え部９８に対して切り替え信号を送信する。
【００３６】
（Ａ−３）振動レベル判別部９０が振動レベルを２と判別した場合、振動時制御部９４は電源制御部８０に対して所定の部へ電力供給を停止させる信号を送信する。
【００３７】
また、振動レベル判別部９０は、制御の状態を変更した後にも再度振動レベルを判別する。再度判別された振動レベルが当初判別した振動レベルと異なる場合は、再度判別した振動レベルに応じて振動時制御部９４は以下のように制御状態を変更する。
【００３８】
（Ｂ−１）振動レベル１に対応した制御の状態において振動レベル０と判別された場合、振動時制御部９４は画像記憶パス切り替え部９８へ切り替え信号を送信する。
【００３９】
（Ｂ−２）振動レベル１に対応した制御の状態において振動レベル２と判別された場合、振動時制御部９４は電源制御部８０に対して所定の部へ電力供給を停止させる信号を送信する。
【００４０】
（Ｂ−３）振動レベル２に対応した制御の状態において振動レベル０と判別された場合、振動時制御部９４は電源制御部８０に対して電力供給を再開させる信号を送信する。
【００４１】
（Ｂ−４）振動レベル２に対応した制御の状態において振動レベル１と判別された場合、振動時制御部９４は振動レベル２に対応した制御の状態を維持する。
【００４２】
次に、本実施の形態の作用を説明する。
【００４３】
まず、振動を検出していない定常運転時において、画像読取装置１２で原稿１６の画像データを読み取り、画像形成装置１４で画像を形成するまでについて説明する。
【００４４】
画像処理装置１０によって読み取られ、形成される画像に対するユーザーからの詳細な要求は、操作／表示部７８から入力される。ＣＰＵ７２はその要求に沿ったコマンド等をＲＯＭ７４から読み出して、画像の読み取りと形成とに係る制御を行う。
【００４５】
画像読取装置１２は、画像読取制御部３４を介してＣＰＵ７２から信号を受け取り、画像の読み取りを開始する。
【００４６】
まず、原稿台１８の上面に載置された原稿１６に対して、原稿台１８の下面から原稿１６に向けて第１の移動走査機構が有するランプ２０が発する光を照射する。照射された光の一部は原稿１６の表面で反射され反射光として原稿台１８の下側に戻ってくる。反射光は原稿１６の画像の濃淡を反映しているため、当該反射光を基に原稿１６の画像情報を読み取ることができる。反射光は第一反射ミラー２２で反射された後、第２の移動走査機構により１８０°反転され、レンズ２８へ送られる。レンズ２８に送られた反射光は、原稿画像情報を読み取るのに最適な形状にされ、主走査であるＣＣＤラインセンサー３０の表面で焦点を結ぶように収束される。副走査は、第１の移動走査機構と第２の移動走査機構により構成されている。副走査時には第２の移動走査機構は光路長を一定に保つために第１の移動走査機構の半分の速度で移動する。こうして反射光はＣＣＤラインセンサー３０に入射し、ＣＣＤ素子によって電荷に変換される。当該電荷は画像処理部３２で画像データとして処理される。このようにして得られた原稿の画像データを画像読取制御部３４は画像形成装置１４へ出力する。画像形成装置１４へ入力された画像データは、画像記憶部（ＨＤＤ）６２に記憶される。その後、画像データは、１ページ単位でページＲＡＭに転送される。
【００４７】
次に入力された画像データを基に画像形成装置１４で記録用紙４６に画像を形成するまでを説明する。画像形成装置１２はＣＰＵ７２からの信号を受けて画像形成コントローラ６６により入力された画像データを記録用紙４６に形成する。
【００４８】
画像形成装置１２が備えている感光体ドラム３６は、帯電ロール３８によってその表面に静電気の層を有している。光走査装置４０はページＲＡＭに記憶された画像データに基づいて、帯電した感光体ドラム３６の表面にレーザー光を走査する。照射された部分は照射されていない部分に比べ相対的に電圧が低下する。この電圧が低下した部分が画像データに基づいた静電潜像である。次に、現像器４２で攪拌され電荷を持ったトナーが、現像ロール４４から感光体ドラム３６に向けて放出され、静電潜像に電気的に吸着する。前記トナーは、事前にプラスの電荷を付加された記録用紙４６へ転写体４８によって転写される。しかし、そのままではトナーは記録用紙４６の表面に電気的に付着しているだけである。そのため、トナーは搬送先にある定着器５０による加熱と２本のロールによる加圧と記録用紙４６に定着される。このようにして、画像形成装置１４は画像読取装置１２から入力された画像データを基に画像を形成する。
【００４９】
次に振動検出部８２が振動を検出したときの画像処理制御装置１０の制御方法を詳細に説明する。
【００５０】
地震等による振動を振動検出部８２が備える加速度センサーが検出した場合、振動検出部８２から振動検出信号が振動レベル判別部９０に送信される。
【００５１】
振動レベル判別部では、既述のように振動レベルを０、１、２の３種類に判別する。振動レベル０とは、図４（Ａ）左図で示されるように検出振動強度が弱い場合並びに振動が検出されない場合である。この場合は図４（Ａ）右図で示すように振動レベル判別部は何ら出力しない。振動レベル１とは、図４（Ｂ）左図で示されるように検出振動強度が振動レベル０よりも強い所定の範囲の振動である。この場合は図４（Ｂ）右図で示すように振動レベル判別部は振動レベル１に相当する信号を出力する。また、振動レベル２とは、図４（Ｃ）左図で示されるように検出振動強度が振動レベル１よりも強い所定以上の強度の振動である。この場合は図４（Ｃ）右図で示すように振動レベル判別部は振動レベル２に相当する信号を出力する。また、これらの各々の振動レベルに対応する検出振動強度の範囲はユーザーが自由に設定することができる。
【００５２】
振動レベル判別部９０において判別された信号は、振動レベル０の場合は定常時制御部９２へ送信され、上記で述べたような振動を検出していないときの制御を行う。一方、振動レベル１または振動レベル２と判別された場合は、信号が振動時制御部９４へ送信されそれぞれの振動レベルに対応した制御を行う。
【００５３】
ここから図５のフロー図を参照して、振動レベル１または振動レベル２と判別された場合の制御の状態を説明する。
【００５４】
図５は、ユーザーが画像処理装置１０を用いて原稿１６を複数枚コピーしているときに、振動検出部８２が振動を検出した場合の制御の流れを示すフローである。
【００５５】
まず、ステップ２００において、画像読取装置１２が備えるＣＣＤラインセンサー３０で読み込まれた画像データはＤＭＡ転送によって、画像記憶部（ＨＤＤ）６２に書き込まれる。
【００５６】
次のステップ２０２において、振動レベル判別部９０が振動検出部８２の有する加速度センサーが出力する振動検出信号に基づいて振動レベルを判別する。
【００５７】
ステップ２０４では、判別された振動レベルが１以上か未満かを判断し、判断が肯定の場合は２０６へ移行する。一方、否定の場合、すなわち振動レベルが０の場合は２１６へ移行し、引き続き定常運転動作を行う。
【００５８】
ステップ２０６では、ステップ２０４で振動レベルを判別した所定時間後に、再び振動検出信号に基づいて振動レベル判別部９０で振動のレベルを判別する。これは、振動時制御部９４が誤振動に基づいて画像処理装置１０の制御状態を変更することを防ぐためである。たとえ、ステップ２０２での判別結果に基づいて振動が発生しているとされても、ステップ２０６の判別に基づいて再び振動が発生しているとされなければ、振動時制御部９４は制御の状態を変更させることができない。また、ステップ２０６の判別による振動レベルがステップ２０２の判別による振動レベルよりも強いという場合は、振動レベルが強い場合に対応した制御の状態へ変更することができる。
【００５９】
ステップ２０８では、再度判別された振動レベルが１以上か未満かを判断し、判断が肯定の場合は２１０へ移行する。一方、否定の場合、すなわち振動レベルが０の場合は２１６へ移行し、引き続き定常運転動作を行う。
【００６０】
ステップ２１０では、振動レベルが１であるか否かを判断する。判断が肯定である場合は、ステップ２１２へ移行し振動レベル１の制御が開始される。判断が否定である場合、すなわち振動レベルが２である場合は、ステップ２１４へ移行し振動レベル２処理が開始される。
【００６１】
ステップ２１４またはステップ２１２において振動が収束したと判断され、振動に対応した制御が終了した場合は、ステップ２１６の定常運転動作へ移行する。そして、ステップ２１８では、コピーが終了したか否かの判断がなされる。判断が肯定であるならば全ての処理を終了する。一方、否定であるならばステップ２００に移行し、残りのコピーを行う。
【００６２】
次に図６のフロー図を参照して、振動レベル１の制御について説明する。
【００６３】
振動レベル１の制御が開始されると、ステップ３００で、振動時制御手段９４が画像記憶パス切り替え部９８に切り替え信号を送る。切り替え信号を受信した画像記憶パス切り替え部９８は、入力された画像データを記憶するパスを画像記憶部（ＨＤＤ）６２からＲＡＭ７６へ切り替える。その後、ステップ３０２において、入力された画像データをＲＡＭ７２へ書き込む作業が開始される。
【００６４】
振動レベル１の場合に、振動時制御部９４がこのような制御の変更を行う理由は以下の通りである。振動レベル１の場合は振動強度がさほど大きくない所定の範囲であるため、画像処理装置１０の全体にわたり制御の変更を行う必要性が無いと考える。しかし、画像記憶部（ＨＤＤ）６２は振動に弱い機械部品を用いた構造であり、振動が発生している状況下で使用し続けると、小さな振動でも誤動作を起こす可能性がある。そこで、振動レベル１と判別された場合は、画像記憶部（ＨＤＤ）６２を停止させる。そして画像記憶部（ＨＤＤ）６２の替わりに機械部品を有していないＲＡＭ７６を、画像データを保存する記憶手段７６として一時的に使用し、引き続き画像の形成を行う。こうすることで、画像記憶部（ＨＤＤ）６２の誤動作を防ぐと共に、画像機処理装置１０の生産性の低下を防ぐことを可能としている。
【００６５】
ステップ３０４では、所定時間後に振動検出部８２からの振動検出信号を基に振動レベル判別部６８で振動レベルの判別を再び行う。地震を起因とする振動は、ある一定の時間振動し続け振動の強弱も変化する。同じ制御の状態のままで当初よりも強い振動が発生した場合は、画像処理装置１０に対して誤動作や形成する画像の画質の低下を招く可能性がある。一方、振動が収束した場合は、必要の無い振動に対応した制御の状態のまま維持され、生産性の低下を招く可能性がある。そこで、振動レベル判別部９０は所定時間後に再び振動レベルを判別する。再度判別した振動レベルに基づいて、振動時制御部はそのときの振動に最適な制御の状態へ変更する。また、当該所定時間はユーザーが画像処理装置１０の使用状態等を考慮して自由に設定することができる。
【００６６】
ステップ３０６では、振動レベルが１以上か否かを判定する。判定が肯定である場合はステップ３１０に移行する。一方、判定が否定、すなわち振動レベルが０であれば、ステップ３０８へ移行する。
【００６７】
ステップ３０８では、振動レベルの１制御において再度の振動レベルの判定で、振動レベルが０と判定された場合の制御の状態の変更を行う。振動時制御部９４は振動レベル０に基づいて振動が収束したと判断し、画像記憶パス切り替え部９８に対して切り替え信号を送信する。画像記憶パス切り替え部９８は切り替え信号を受信したら、画像データを記憶するパスをＲＡＭ７６から画像記憶部（ＨＤＤ）６２へ再び切り替える。こうすることで、振動時制御手段９４は、制御の状態を定常運転状態へ復帰させる。
【００６８】
ステップ３０６で肯定判断がされたということは、振動時制御手段９４は振動が引き続き継続していると判断したということである。この場合、ステップ３１０では、振動レベルが１であるか否かの判断が行われる。判断が肯定されると、ステップ３０２へ移行する。すなわち、制御を振動レベル１の制御の状態のままで維持するということである。一方、判断が否定、すなわち振動レベルが２であると判別された場合は、ステップ３１２へ移行し、振動レベル２の制御が行われる。
【００６９】
次に、振動レベル２の制御について、図７を参照して詳細を述べる。
【００７０】
振動レベル２の制御が開始されると、ステップ４００で、振動時制御部９４が電源制御部８０へ信号を送る。電源制御部は、信号を受信すると主要部への電力供給を停止し、画像処理装置１０を節電状態である節電Ｓｌｅｅｐモードへ移行させる。
【００７１】
節電Ｓｌｅｅｐモードとは、振動時制御部９４からの信号を受けて、電源制御部８０が操作／表示部７８、駆動部１００、定着器５０への電力供給を停止させる制御である。駆動部１００とは、画像読取装置１２においては第１の移動操作機構、第２の移動操作機構などである。また画像形成装置１４においては、感光体ドラム３６、光走査装置４０、現像ロール４４、転写体４８などである。駆動部１００を構成している機器は、大きな振動の影響を受けることで形成される画像の画質に影響を与える可能性がある。また、定着器５０は駆動部である上に熱源でもあるため、大きな振動により過熱等の不具合を引き起こす可能性がある。そこで、駆動部１００、定着器５０の電力供給を停止すると共に、ユーザーからの要求も受け付けなくさせるために操作／表示部７０の電力供給も停止する。このとき、画像処理装置１０は画像読取装置１２で原稿１６の画像を読み取ることができないと共に、外部画像データ入力部６０から外部ＰＣやＦＡＸ受信による画像データを受け付けることはできない。しかし、後述するように、振動レベル判別部は節電Ｓｌｅｅｐモードの場合にも所定時間後に振動レベルを判別する。振動時制御部９４は判別結果に基づいて振動が収束したと判断した場合は節電Ｓｌｅｅｐモードを解除して復帰させる。そのため、節電Ｓｌｅｅｐモードは、振動検出部８２や画像処理制御部６８などへの電力は供給を続け、振動が収束した場合に対応できる状態を維持している。
【００７２】
次に、ステップ４０２では、ステップ３０４と同様に所定時間後に振動検出部８２からの振動検出信号を基に振動レベル判別部６８で振動レベルの判別を行う。
【００７３】
ステップ４０４では、振動レベルが１以上であるか否かの判断を行う。判断が肯定である場合は、ステップ４０２に戻る。これは振動時制御部９４が、振動は未だ収束していないと判断したため、制御の状態を節電Ｓｌｅｅｐモードのまま維持するためである。一方、否定された場合は、振動時制御部９４が振動は収束したと判断したことを示している。この場合は、ステップ４０６へ移行し節電Ｓｌｅｅｐモードを解除して制御を復帰させる。復帰作業は振動時制御部９４が復帰制御部９６へ復帰信号を発することにより行われる。復帰制御部９６が復帰信号を受け取ると電源制御部８０へ信号を送り、電源制御部８０が電力供給を停止していた操作／表示部７８、駆動部１００、定着器５０の運転を再開させる。こうすることで、振動時制御部９４が、制御の状態を節電Ｓｌｅｅｐモードにしても、再度の振動レベルの判定により振動が収束したと判断した場合は、自動的に定常運転に復帰することを可能としている。さらに画像処理装置１０は、定常状態へ復帰することで、外部ＰＣやＦＡＸ受信によって入力された画像データにも再び対応することができるようになる。
【００７４】
以上説明したように、本実施の形態によれば、振動検出部８２が振動を検出した場合は、その信号に基づいて振動のレベルを判別し、そのレベルに応じて振動時制御手段が画像処理装置１０の制御の状態を変更する。また、振動が収束した場合は、それを判断し自動的に制御の状態を定常状態へ復帰させる。こうすることで、画像処理装置の制御状態を変更させても生産性を低下させることが無いようにした。さらに、たとえ制御状態を節電状態としてもその後、自動的に復帰させることで外部から入力される画像データに対応できる画像処理装置を提供することを可能とする。
【００７５】
本発明は、上記の実施の形態に限るものではなく、種々の形態が可能である。例えば
上記実施の形態では、振動のレベルを３つに分け、それぞれに対応した制御へ変更しているが、それに限るものではない。振動のレベルを３つ以上の複数に分け、それぞれに対応した制御を細分化して行ってもよい。
【００７６】
また、振動検出部８２に加速度センサーのほかに、画像処理装置１０の傾きを検出する傾きセンサーを付加してもよい。画像処理装置１０は、大きな振動が生じた場合、全体が傾いた状態のまま維持される可能性がある。このような場合に対応するために、傾きセンサーからの信号を検出し、傾きに応じて制御の状態を変更してもよい。例えば、傾きセンサーが所定時間、傾きを検出し続けた場合は、節電Ｓｌｅｅｐモードではなく、完全に画像処理装置１０への電力供給を停止するなどしてもよい。
【図面の簡単な説明】
【００７７】
【図１】実施の形態に係る画像処理装置の概略図である。
【図２】実施の形態に係る画像処理装置の制御の要部を示すブロック図である。
【図３】画像処理制御部に関する機能ブロック図である。
【図４】振動検出レベルの設定の説明に供する波形図である。
【図５】振動検出後の制御の流れを示すフローチャートである。
【図６】振動レベル１の制御の流れを示すフローチャートである。
【図７】振動レベル２の制御の流れを示すフローチャートである。
【符号の説明】
【００７８】
１０    画像処理装置
１２    画像読取装置
１４    画像形成装置
６２    画像記憶部（磁気型画像記憶手段）
７６    ＲＡＭ（半導体記憶手段）
８２    振動検出部（振動検出手段）
９０    振動レベル判別部（振動レベル判別手段）
９４    振動時制御部（振動時制御手段）
９６    復帰制御部（復帰制御手段）
【図１】
2007158599.tif 000003
【図２】
2007158599.tif 000004
【図３】
2007158599.tif 000005
【図４】
2007158599.tif 000006
【図５】
2007158599.tif 000007
【図６】
2007158599.tif 000008
【図７】
2007158599.tif 000009